(57)【要約】【課題】フォトレジスト、ＵＶ樹脂等の感光性物質を反応・硬化させるために用いられる、例えば、ｇ線（波長４３６ｎｍ）、ｉ線（波長 ３６５ｎｍ）等の所定波長に係る光の発光を制御すると共に、赤色〜緑色の波長領域における色の差が少なく前記波長領域における色の識別に障害をもつ色覚障害者の色の識別性を向上させることが出来る照明装置を提供する。【解決手段】５７０〜６１０ｎｍの波長の光を発する緑赤中間帯ＬＥＤを含む複数のＬＥＤと、前記所定波長の発光を抑制するように前記複数のＬＥＤを制御する制御部とを備える。【選択図】図８
2009158823.tif 000002
【特許請求の範囲】
【請求項１】
複数のＬＥＤ等の光源を備える照明装置であって、
前記複数の光源には、色覚障害者の被照射物の識別性を高める波長の光を発光する光源を含むことを特徴とする照明装置。
【請求項２】
色覚障害者の被照射物の識別性を高める波長の前記光源は、赤色及び緑色の間の波長の光源であることを特徴とする請求項１に記載の照明装置。
【請求項３】
少なくとも赤色の光源及び緑色の光源を含む複数のＬＥＤ等の光源を備え、特定の波長に反応する感光性物質が感光することを抑制する照明装置において、
前記赤色の光源と前記緑色の光源の間の波長の光を照射する光源を備え、被照射物の識別性を高めたことを特徴とする照明装置。
【請求項４】
色覚障害者の被照射物の識別性を高める波長の光を発光する前記光源、又は赤色の光源と緑色の光源の間の波長の光を照射する前記光源は、５７０〜６１０ｎｍの波長の光を照射する光源であることを特徴とする請求項１から３の何れか１項に記載の照明装置。
【請求項５】
前記色覚障害者の被照射物の識別性を高める波長の光を発光する前記光源、又は前記赤色の光源と前記緑色の光源の間の波長の光を照射する前記光源は、５８０〜６００ｎｍの波長の光を照射する光源であることを特徴とする請求項１から３の何れか１項に記載の照明装置。
【請求項６】
前記被照射物の明暗を明確にすることにより、被照射物の識別性を高めることを特徴とする請求項１から５の何れか１項に記載の照明装置。
【請求項７】
前記複数の光源に含まれる各色の光源は、同一色の光源間の距離は、互いに異なる色の光源間の距離に比べて長くなるように配置されてなることを特徴とする請求項１から６の何れか１項に記載の照明装置。
【請求項８】
前記複数の光源は複数の列状に配置され、各列の電圧降下が略一定であることを特徴とする請求項１から７の何れかに記載の照明装置。
【請求項９】
前記複数の光源が実装された基板と、
前記基板が収容された収容部と、
該収容部に取り付けられ、前記複数の光源からの光を透光させる透光部とを備え、
該透光部を前記収容部に取り付けた場合、該透光部及び前記収容部が扁平体をなすように構成されていることを特徴とする請求項１から請求項８の何れか１項に記載の照明装置。
【発明の詳細な説明】
【技術分野】
【０００１】
本発明は、複数の発光ダイオード（以下、ＬＥＤという）等の光源を備える照明装置に関する。
【背景技術】
【０００２】
一般に半導体製造工程及び液晶表示装置製造工程においては、特定波長を有する光に露光されることにより、溶解性などの物性が変化するフォトレジストを用いて微細な回路パターンを転写するいわゆるパターニング作業、光硬化性を有するＵＶ樹脂等を使用する接着作業等が行われる。
【０００３】
前記微細な回路パターンは、サブミクロン単位のものが多いので、塵埃の無いクリーンルームで行われる。さらに、フォトレジスト、ＵＶ樹脂等を反応・硬化させるために用いられる光としては、ｇ線（波長４３６ｎｍ），ｉ線（波長 ３６５ｎｍ），ＫｒＦエキシマレーザー（波長 ２４８ｎｍ），ＡｒＦエキシマレーザー（波長 １９３ｎｍ）があり、微細な回路パターンほど短波長の光が用いられる。フォトレジスト、ＵＶ樹脂等は、これらの短波長の光に短時間（数秒〜数十秒）露光されることにより硬化される。
【０００４】
従って、クリーンルーム内に用いられる照明装置においては、フォトレジスト、ＵＶ樹脂等が、前記照明装置からの光によって反応しないようにするための工夫が施されている。一般には、蛍光灯にフィルタを設けることにより、前記フォトレジスト、ＵＶ樹脂等と光反応する波長の光を遮断している。
【０００５】
また、特許文献１には、紫外線及び青色の光吸収特性を容易に制御することが可能なカット幕の光カットフィルタ及びこのフィルタを備えた照明装置が開示されている。
【特許文献１】特開２００５−２２１７５０号公報
【発明の開示】
【発明が解決しようとする課題】
【０００６】
また、色の識別性に障害を有する一般に色覚障害者と呼ばれる人は、一部の波長領域の色に対しては被照射物の色度（色相・いろみ）の見分けができないので、被照射物の照度（明度）の差（明暗）によって被照射物を識別する。
【０００７】
従って、蛍光灯等の一般的な照明装置が設置された環境においてであっても、健常者と比較して被照射物の識別性の困難があった。さらに、特定波長を除いた特殊な照明が用いられたクリーンルーム内において色覚障害者が作業をしようとうする場合には、薄暗い黄色の照明下で作業を行うことになるので、通常の照明下と比較して、さらに被照射物の識別性が困難になるという問題があった。
【０００８】
例えば、上記特許文献１の照明装置は、フィルタを設けることで、光源が一般の蛍光灯の場合は照度が１／３〜１／４に大幅に減少するので、暗い黄色の照明の環境で長時間作業することになり、作業者がストレスを感じる上、被対象物の識別が出来なくなる等の問題があった。
【０００９】
本発明は、上記問題を鑑みてなされたものであり、色覚障害者にとって被照射物の照度（明度）の差（明暗）を感じ易い波長の光を照射する光源を照明装置に用いることにより、色覚障害者の被照射物の識別性を高めることを可能とする。
【課題を解決するための手段】
【００１０】
本発明に係る照明装置は、複数のＬＥＤ等の光源を備える照明装置であって、前記複数の光源には、色覚障害者の被照射物の識別性を高める波長の光を発光する光源を含むことを特徴とする。
【００１１】
本発明にあっては、色覚障害者の被照射物に対する識別性を高めることが可能な波長の光を発光する光源を用いて照射を行う。
【００１２】
本発明に係る照明装置は、さらに、色覚障害者の被照射物の識別性を高める波長の前記光源は、赤色及び緑色の間の波長の光源であることを特徴とする。
【００１３】
本発明にあっては、色覚障害者にとって、比較的被照射物の照度（明度）の差である明暗を認識し易い、赤色及び緑色の間の波長の光源を用い、被照射物に対する識別性を高める。
【００１４】
本発明に係る照明装置は、少なくとも赤色の光源及び緑色の光源を含む複数のＬＥＤ等の光源を備え、特定の波長に反応する感光性物質が感光することを抑制する照明装置において、前記赤色の光源と前記緑色の光源の間の波長の光を照射する光源を備え、被照射物の識別性を高めたことを特徴とする。
【００１５】
本発明にあっては、色覚障害者が暗い茶色と認識して色度の識別性が困難な赤色と緑色の光源による照明装置において、色覚障害者が比較的明るく感じる赤色と緑色の間の波長の光を加えることにより、色覚障害者の被照射物に対する識別性を高める。特に、i線（波長３６５ｎｍ）及びｇ線（波長４３６ｎｍ）といった特定の波長領域の波長を欠落させたような例えばクリーンルーム等で用いられる照明装置において、色覚障害者の被照射物に対する識別性を高める。
【００１６】
本発明に係る照明装置は、さらに、色覚障害者の被照射物の識別性を高める波長の光を発光する前記光源、又は赤色の光源と緑色の光源の間の波長の光を照射する前記光源は、５７０〜６１０ｎｍの波長の光を照射する光源であることを特徴とする。
【００１７】
本発明にあっては、色覚障害者の被照射物の識別性を高める波長の光を発光する前記光源として、又は赤色の光源と緑色の光源の間の波長の光を照射する前記光源として、５７０〜６１０ｎｍの波長の光を照射する光源を用い、色覚障害者が被照射物に対する識別性を高める。
【００１８】
本発明に係る照明装置は、さらに、前記色覚障害者の被照射物の識別性を高める波長の光を発光する前記光源、又は前記赤色の光源と前記緑色の光源の間の波長の光を照射する前記光源は、５８０〜６００ｎｍの波長の光を照射する光源であることを特徴とする。
【００１９】
本発明にあっては、前記色覚障害者の被照射物の識別性を高める波長の光を発光する前記光源として、又は前記赤色の光源と前記緑色の光源の間の波長の光を照射する前記光源として、５８０〜６００ｎｍの波長の光を照射する光源を用い、色覚障害者が被照射物に対する識別性を高める。
【００２０】
本発明に係る照明装置は、さらに、前記被照射物の明暗を明確にすることにより、被照射物の識別性を高めることを特徴とする。
【００２１】
本発明にあっては、被照射物の明暗を明確にすることにより、色覚障害者の被照射物に対する識別性を高める。
【００２２】
本発明に係る照明装置は、さらに、前記複数の光源に含まれる各色の光源は、同一色の光源間の距離は、互いに異なる色の光源間の距離に比べて長くなるように配置されてなることを特徴とする。
【００２３】
本発明にあっては、同一色の光源が集中して配置されることによる色ムラの発生が生じないようにするため、同一色の光源間の距離を、互いに異なる色の光源間の距離により長くなるように配置する。
【００２４】
本発明に係る照明装置は、さらに、前記複数の光源は複数の列状に配置され、各列の電圧降下が略一定であることを特徴とする。
【００２５】
本発明にあっては、各列の電圧降下が略一定になるように構成することにより、各列に略一定の電圧を印加した場合、各列間の光源の輝度が異になることを防ぐ。従って、各列において降下電圧量を一定にするための別途の回路設計が不要となり、回路の複雑化を避ける事ができる。
【００２６】
本発明に係る照明装置は、さらに、前記複数の光源が実装された基板と、前記基板が収容された収容部と、該収容部に取り付けられ、前記複数の光源からの光を透光させる透光部とを備え、該透光部を前記収容部に取り付けた場合、該透光部及び前記収容部が扁平体をなすように構成されていることを特徴とする。
【００２７】
本発明にあっては、前記透光部を前記収容部に取り付けた場合、該透光部及び前記収容部が扁平体をなすように構成し、設置面に対する前記照明装置の突出量を軽減させる。従って、前記照明装置の付近においての空気の流れが妨害されることがなくなり、前記照明装置の付近に塵埃が集中することが防止される。
【発明の効果】
【００２８】
本発明によれば、色覚障害者に対して被照射物の識別性を高めることができる。
【発明を実施するための最良の形態】
【００２９】
（実施の形態１）
以下本発明の実施の形態１を、図面を参照して説明する。図１は本発明の実施の形態１に係る照明装置の構成を示すブロック図である。図中、実施の形態１に係る照明装置は二点鎖線によって囲まれている。実施の形態１に係る照明装置は、複数の灯部１，１，…を備えており、灯部１，１，…は、これらの点灯を制御する制御部２０に接続されている。制御部２０は外部の操作部３０と接続されており、操作部３０からの指示信号に応じて灯部１，１，…の点灯を制御する。
【００３０】
図２は実施の形態１に係る照明装置の灯部１の外観を示す斜視図である。灯部１は、扁平であって蒲鉾状をなす本体１０（扁平体）と、本体１０の長手方向の両端側に設けられた後術する掛止部材７，７（図示せず）を覆うカバー４，４とを備えている。灯部１は電線８４，８４を介して制御部２０に接続されている。
【００３１】
図３（ａ）は実施の形態１に係る照明装置の灯部１のカバー４，４が取り外された状態を示す概略図、図３（ｂ）は、図３（ａ）のｂ−ｂ線による断面図、図３（ｃ）は、図３（ａ）のｃ−ｃ線による断面図である。図４は灯部１の分解斜視図である。
【００３２】
灯部１は、複数のＬＥＤ５，５，…が複数列に配列され、矩形の基板６に実装されている。基板６は、基板６より少し大きい樋形状の収容部２に収容されており、収容部２は両開口端が掛止部材７，７によって掛止され設置面に固定されている。ＬＥＤ５，５，…からの光を均一に拡散させるグローブ３は、トンネル状をなしており、基板６を覆うように収容部２に取り付けられている。
【００３３】
ＬＥＤ５，５，…は、略５００〜５７０ｎｍの波長領域を有する赤色ＬＥＤと、略６１０〜７５０ｎｍの波長領域を有する緑色ＬＥＤと、略５８０〜６００ｎｍの波長領域を有するアンバー色ＬＥＤとを含み、これらＬＥＤは蛍光体を用いずに自ら発光する。ここで、アンバー色とは、ＪＩＳ規格Ｚ８１１０における黄色のうち長波長領域と黄赤の短波長領域とからなる領域である。
【００３４】
なお、アンバー色ＬＥＤの波長は、上記の略５８０ｎｍ〜６００ｎｍに限定されずに、赤色ＬＥＤと緑色ＬＥＤの照射する光の波長の間の波長である例えば略５７０ｎｍ〜６１０ｎｍの範囲に含まれていればよい。
【００３５】
一面にＬＥＤ５，５，…が実装された基板６は、接続部材８，８を介して外部と電気的に接続されている。接続部材８，８は収容部２の両端側に設けられた掛止部材７，７に載置されている。
【００３６】
基板６は矩形であり、ＬＥＤ５，５，…が実装されている実装面の長手方向の両端部には、ＬＥＤ５，５，…に電力を供給するための一対のリード線対９，９が夫々取り付けられている。リード線対９，９の一端は基板６に夫々半田付けされており、他端は接続部材８，８へ接続・分離可能に夫々接続されている。リード線対９，９の各リード線は例えば１０ｍｍ程度の長さを有している。接続部材８，８は基板６に直接取り付けず、リード線対９，９を介して基板６に接続されているので、外部から接続部材８，８に加わる衝撃、引っ張り力等の影響を基板６が直接受けることを防ぐことが出来る。つまり、外部から接続部材８，８に衝撃、引っ張り力等が加わった場合、接続部材８，８に接続されているリード線対９，９が変形、断線等されることによって前記衝撃等を吸収し又は緩和し、基板６へ損傷が与えられることを抑制する。基板６は長辺側の両端部が収容部２に係合されることによって支持されている。
【００３７】
収容部２は樋形状をなしている。収容部２は、基板６に倣う矩形を有しており、一面が設置面と面する取付板２１と、基板６の長辺側の両端部と係合するための係合溝２２，２２とを備えている。取付板２１の長さは基板６より少し長く、取付板２１の幅は基板６より少し広い。係合溝２２，２２は取付板２１の両長辺側に設けられており、基板６は、長辺側の両端部が係合溝２２，２２に案内されて収容部２に嵌入され、基板６の非実装側の面が取付板２１の他面と摺動可能に係合される。従って、電線の断線等が発生した場合、作業特性に応じて灯部１を交換する場合等に、基板６を収容部２から差し出して、修理、交換等を行うことが出来る。取付板２１及び係合溝２２，２２は夫々アルミニウム製であり、一対形成されている。
【００３８】
収容部２は、前記一面が設置面と面するように、両開口端が掛止部材７，７によって掛止され、設置面に固定されている。掛止部材７，７は、掛止部材７，７を設置面にネジ止めするための貫通孔７２，７２を夫々有する取付片７１，７１と、接続部材８，８が載置される載置板７３とを備えている。取付片７１，７１は適宜厚みを有しており、矩形をなしている。載置板７３は矩形であって収容部２の取付板２１と等しい厚みを有している。取付片７１，７１は長手方向が収容部２の長手方向に沿うようにして載置板７３の両長辺側に平行配置されている。取付片７１，７１及び載置板７３はプラスチック製であり、取付片７１，７１及び載置板７３は設置面側の面が面一になるように一体成形されている。取付片７１，７１の貫通孔７２，７２は、取付片７１，７１の長手方向に沿う方向を長径方向とする長孔である。また、各掛止部材７，７の取付片７１，７１は、相互対向面に接続部材８，８を係止するための係止突起７５，７５を夫々突設している。一方、取付片７１，７１は収容部２に向かう収容部側面に、収容部２を設置面に固定するための掛止鍔７４，７４を夫々設けている。掛止鍔７４，７４は、前記収容部側面の設置面側の縁から取付板２１の厚みだけ離れた位置に夫々突設されている。実施の形態１に係る照明装置の灯部１の設置の際には、掛止鍔７４，７４を取付板２１の長手方向の両端部の他面に当接させる状態で、各貫通孔７２，７２，７２，７２にネジを挿入して掛止部材７，７を設置面にネジ止めすることにより、収容部２を設置面に設置する。換言すれば、収容部２の取付板２１の長手方向の両端部が、掛止部材７，７の掛止鍔７４，７４，７４，７４及び設置面の間にて挟持される。
【００３９】
グローブ３はトンネル状をなしており、基板６を覆い、ＬＥＤ５，５，…からの光を拡散させ、均一に外側へ透光させる。グローブ３は基板６に倣う矩形状の扁平板３１と、扁平板３１の両長辺側の縁から扁平板３１と直交する方向に徐々に延びる湾曲板３２，３２とを備えている。扁平板３１及び湾曲板３２，３２は、耐衝撃性及び耐熱性に優れた乳白色のポリカーボネート樹脂製であり、一対成形されている。グローブ３は、湾曲板３２，３２の縁部が収容部２の係合溝２２，２２によって挟持されることにより、取り付けられている。
【００４０】
接続部材８，８は、リード線対９，９の他端と接続されている略四角筒状の雌部８１，８１と、外部からの電線８４，８４が接続される端子を有する略四角筒状の雄部８２，８２とを備えている。雌部８１，８１及び雄部８２，８２は挿脱可能に構成されており、挿入又は解除によって電気的な接続・分離が行われる。雌部８１，８１は、掛止部材７，７の載置板７３に載置される際、係止突起７５，７５と係止されるように、係止突起７５，７５に対応する位置に被係止突起８３，８３を設けている。つまり、雌部８１，８１は掛止部材７，７に係止されており、雄部８２，８２は後述のカバー４，４の切欠４１，４１を介して雌部８１，８１との挿入又は解除を行うことにより、電気的に接続・分離が可能に構成されている。
【００４１】
掛止部材７，７が露出されることによって照明装置の見栄えが悪くなることを防ぐために、カバー４，４は掛止部材７，７を覆うように取り付けられている。カバー４，４は、グローブ３及び収容部２の長手方向に連設されるように取り付けられている。また、カバー４，４は、グローブ３及び収容部２と反対側に、接続部材８，８の雄部８２，８２が挿通するための四角形の切欠４１，４１が設けられている。
【００４２】
操作部３０には、パターニング作業等のための「波長制御点灯」ボタンと、電源をオン・オフするための「電源」ボタンとが設けられている（図示せず）。制御部２０は、作業者が操作部３０のボタンを操作することによって指示信号を受付けた場合、灯部１，１，…の前記赤色ＬＥＤと、緑色ＬＥＤと、アンバー色ＬＥＤとへの電源供給を制御する。
【００４３】
なお、実施の形態１においては、制御部２０は照明装置内に設けられているが、操作部３０内に設けるように構成してもよい。
【００４４】
図５は実施の形態１に係るＬＥＤ５，５，…の配置の一例を示す例示図である。基板６は、例えば長手方向の寸法が２６２ｍｍ、短手方向の寸法が１１５．６ｍｍである矩形の板状である。基板６の実装面には、アンバー色ＬＥＤ５Ｕ、赤色ＬＥＤ５Ｒ、緑色ＬＥＤ５Ｇの順番を繰り返して、各ＬＥＤ５，５，…を基板６の短手方向に、適宜（例えば１０．２ｍｍ）間隔に並設してなるＬＥＤ列が、複数適宜（例えば、１３．２ｍｍ）隔てて並設されることにより、ＬＥＤ５，５，…は全体的に複数列に配されている。
【００４５】
複数のＬＥＤ列は、アンバー色ＬＥＤ５ＵがＬＥＤ列の両端に位置するように１１個のＬＥＤを上述した順番に並設させてなる一のＬＥＤ列と、緑色ＬＥＤ５ＧがＬＥＤ列の両端に位置するように１０個のＬＥＤを上述した順番に並設させてなる他のＬＥＤ列とからなり、これらは交互に並設されている。なお、各ＬＥＤ列は、相隣るＬＥＤ列間の列方向の位置を異ならせて、同一色のＬＥＤ別に千鳥配置をなすように配されている。従って、同一色のＬＥＤが直線配置された場合に起こりがちな前記直線に沿う色ムラの発生を防ぎ、各ＬＥＤからの色を均一に調合することが出来る。また、一のＬＥＤ列と、他のＬＥＤ列とが交互に並設されることによって、同一色のＬＥＤ間の寸法が、異なる色のＬＥＤ間の寸法より長くなり、同一色のＬＥＤが集中して配置されることによる色ムラの発生を防ぐことが出来る。
【００４６】
一方、アンバー色ＬＥＤ５Ｕ、赤色ＬＥＤ５Ｒ及び緑色ＬＥＤ５Ｇの動作電圧は、夫々２．２Ｖ、２．２Ｖ及び３．２Ｖである。また、前記一のＬＥＤ列は４つの赤色ＬＥＤ５Ｒと、３つの緑色ＬＥＤ５Ｇと、４つのアンバー色ＬＥＤ５Ｕとからなり、前記他のＬＥＤ列は３つの赤色ＬＥＤ５Ｒと、４つの緑色ＬＥＤ５Ｇと、３つのアンバー色ＬＥＤ５Ｕとからなる。従って、各ＬＥＤ列の降下電圧量は略一定となり、各ＬＥＤ列の電流も一定となるので、各ＬＥＤ列間に輝度差が生じることを防ぐことが出来る。また、各ＬＥＤ列
の降下電圧量を一定にするための別途の回路設計が不要となり、回路の複雑化を避ける事が可能となる。
【００４７】
なお、上記ＬＥＤの配置例は一例であり、各配列の降下電圧量を一定とする回路であればよい。つまり、一のＬＥＤ列は他色のＬＥＤ（赤色ＬＥＤ又はアンバー色ＬＥＤ）に比べて動作電圧が略１．０Ｖ高い緑色ＬＥＤを多く含み、他色のＬＥＤの個数を少なくする。一方、前記一のＬＥＤ列と隣り合う他のＬＥＤ列は緑色ＬＥＤの個数を少なくし、一のＬＥＤ列に含まれる他色のＬＥＤの個数を増やす事で、各ＬＥＤ列の降下電圧量を一定とするＬＥＤの配列とすることができる。よって、各色のＬＥＤを千鳥状に配置して同一色のＬＥＤの集中による色ムラの発生を抑制できるとともに、各ＬＥＤ列の降下電圧量を一定にすることが可能である。
【００４８】
また、複数のＬＥＤは、色毎にＬＥＤを直列に接続するといった回路構成とすることで、色毎に輝度を調整することも可能である。その場合、作業者は照明の光を作業し易い色に調整することが可能となる。
【００４９】
以下、実施の形態１に係る照明装置における基板６の交換作業について説明する。図６は基板６の交換作業において、掛止部材７，７の操作を説明する説明図である。図６（ａ）は掛止部材７，７を操作する前の状態を示す図であり、図６（ｂ）は掛止部材７，７を操作した後の状態を示す図である。説明の便宜上、図中グローブ３を省略しており、灯部１の両端部のうち、片方のみを図示している。
【００５０】
基板６の交換作業のためには、まず、カバー４，４を取り外す。基板６の交換作業の前においては、図６（ａ）に示すように、収容部２の取付板２１の長手方向の両端部が、掛止部材７，７の掛止鍔７４，７４，７４，７４及び設置面の間にて挟持されることにより、本体１０が設置面に取り付けられている。
【００５１】
次いで、リード線対９，９を接続部材８，８から外す。その後、ネジＳ，Ｓ，Ｓ，Ｓを回転させて、掛止部材７，７が遊びを持つ程度にネジ止めを緩める。ネジＳ，Ｓ，Ｓ，Ｓは長孔である貫通孔７２，７２，７２，７２へ挿通されているので、掛止部材７，７を貫通孔７２，７２，７２，７２の長径方向（図６（ａ）中白抜き矢印にて表示される方向）に移動させることが出来る。これにより、掛止部材７，７の掛止鍔７４，７４，７４，７４は、収容部２の取付板２１の長手方向の両端部と当接しなくなり、掛止鍔７４，７４，７４，７４及び設置面による収容部２（取付板２１）の挟持は解除される（図６（ｂ））。
【００５２】
このような操作により、本体１０のみを設置面から取り外すことが出来る。次いで、グローブ３を取り外し、基板６を収容部２から抜き出し、新しい基板への交換、断線の修理等の作業を行う。
【００５３】
以下、実施の形態１に係る照明装置の操作について説明する。図７は実施の形態１に係る照明装置が装着されたクリーンルームＣを示す例示図である。部屋Ｒは網状の台板Ｂによって、上方の空間Ｒ１及び下方の空間Ｒ２に仕切られている。空間Ｒ１にはクリーンルームＣが設けられており、クリーンルームＣ内には装置Ｍ１，Ｍ２が載置されている。また、空間Ｒ２には装置Ｍ３，Ｍ４が載置されている。
【００５４】
空間Ｒ１は、同一寸法の矩形であって、台板Ｂに対して垂直方向に突設された仕切り壁Ｗ１及び仕切り壁Ｗ２によって仕切られ、クリーンルームＣ及び廊下Ｐを構成している。廊下Ｐは、仕切り壁Ｗ２及び仕切り壁Ｗ２と対向する部屋Ｒの一側壁によって構成されている。クリーンルームＣ及び廊下Ｐの天井側には天井板ＵがクリーンルームＣ及び廊下Ｐに跨って配置されている。クリーンルームＣ側の天井板Ｕの内側には、略全面に渡ってＨＥＰＡフィルタ（High Efficiency Particulate Air filter）Ｈが取り付けられている。ＨＥＰＡフィルタＨはいわゆるファンフィルターユニットのフレームに縁部を当接させて架設されている。一方、廊下Ｐ側の天井板Ｕの内側には、一部にのみＨＥＰＡフィルタＨが取り付けられている。天井板Ｕの外側には、空気をクリーンルームＣ及び廊下Ｐ内へ送風する循環ファンＦ，Ｆ，…が複数設けられている。循環ファンＦ，Ｆ，…によってクリーンルームＣ及び廊下Ｐ内へ送風される空気は、ＨＥＰＡフィルタＨによって塵埃がフィルタリングされる。クリーンルームＣ及び廊下Ｐ内へ入った空気は、台板Ｂを介してクリーンルームＣ及び廊下Ｐの外（Ｒ２方向）へ流れ出す。クリーンルームＣ及び廊下Ｐの外側の空気は、循環ファンＦ，Ｆ，…によって再びクリーンルームＣ及び廊下Ｐ内へ送風される。従ってクリーンルームＣ内には一定の空気の流れが形成され、塵埃がクリーンルームＣ内に溜まることが防止されている。
【００５５】
クリーンルームＣにおいては、天井板Ｕのファンフィルターユニットのフレームの下側面に、複数の灯部１，１，…が、適宜離れて長手方向に２列で並設され、クリーンルームＣ内を照らしている。一方、廊下Ｐにおいては、部屋Ｒの前記一側壁の、天井板Ｕ及び台板Ｂ側の端部に複数の灯部１，１，…が長手方向に並設され、廊下Ｐ及び歩行者の足元を照らしている。
【００５６】
一方、空間Ｒ２に載置されている装置Ｍ３には、装置Ｍ４と対向する一面の上部に複数の灯部１，１，…が適宜隔てて長手方向に並設され、装置Ｍ３及び装置Ｍ４の間の狭い空間を照らしている。
【００５７】
上述したように、クリーンルームＣ内には一定の空気の流れが形成されているので、クリーンルームＣ内に配設される照明装置は、設置面に対する突出量を小さくすることが望ましい。突出量が大きい場合、前記空気の流れが妨害されて、照明装置の付近では空気の流れが悪くなり、塵埃が集中する問題が生じるからである。実施の形態１に係る照明装置の灯部１，１，…は、上述したように本体１０が扁平形状を有するので、設置面に対する突出量を小さく抑えることが出来るので、前記問題の発生を軽減させることが出来る。また、灯部１，１，…が廊下Ｐに配設された場合においては、設置面に対する突出量が少ないので、通行者の歩行が邪魔されない。
【００５８】
一方、ｇ線（波長４３６ｎｍ），ｉ線（波長 ３６５ｎｍ）の光に露光されることにより、溶解性などの物性が変化するフォトレジストを用いて微細な回路パターンを転写するいわゆるパターニング作業、又は光硬化性を有するＵＶ樹脂等を用いて行われるいわゆる接着作業等を行う場合、作業者は、操作部３０の「波長制御点灯」ボタンを操作する。作業者の「波長制御点灯」ボタンの操作により指示信号を受付けた制御部２０は、灯部１，１，…の各アンバー色ＬＥＤ５Ｕ、赤色ＬＥＤ５Ｒ及び緑色ＬＥＤ５Ｇに電源を供給する。
【００５９】
図８は各アンバー色ＬＥＤ５Ｕ、赤色ＬＥＤ５Ｒ及び緑色ＬＥＤ５Ｇを点灯させた場合のスペクトルを示すグラフであり、図９はアンバー色ＬＥＤ５Ｕが備えられていない場合のスペクトルを示すグラフである。グラフの縦軸は相対強度（％）を示しており、横軸は波長（ｎｍ）を示す。図８から明らかであるように、ｉ線（波長 ３６５ｎｍ）及びｇ線（波長４３６ｎｍ）に係るピークが見当たらず、ｉ線及びｇ線の発光が完全にカットされており、ｉ線及びｇ線と光反応するフォトレジスト、ＵＶ樹脂等を用いるパターニング作業に不具合を生じさせることはない。なお、クリーンルームＣ内は、赤色ＬＥＤ５Ｒ及び緑色ＬＥＤ５Ｇの光が混合された白色に近い明るい黄色（レモン色）の光により明るく照らされるので、作業者はストレスを感じることなく明るい作業環境の中で、パターニング作業を行うことが出来る。
【００６０】
また、図８及び図９から明らかであるように、本実施の形態の照明装置における光の波長分布は、緑色ＬＥＤ５Ｇによる光のピークと、赤色ＬＥＤ５Ｒによる光のピークとの間にアンバー色ＬＥＤ５Ｕによる光のピークが立っている。従って、色の識別に障害を持つ色覚障害者の被照射物の識別性を高めることにより、本実施の形態の照明装置の下における作業性を高めることが出来る。
【００６１】
つまり、色覚障害者には赤色〜緑色の波長領域における色度（いろみ・色相）の差が少なく色の識別が難しい。従って、前記波長領域における色の識別は、被照射物の照度（明度）の差（明暗）に依存する場合が多く、照明装置からの光の輝度そのものが低い場合は色の識別が更に難しくなる。そこで、本発明の実施の形態１に係る照明装置はアンバー色ＬＥＤ５Ｕを備えており、アンバー色ＬＥＤ５Ｕは色覚障害者にとって最も明るく見える波長を発光するので、色覚障害者の被照射物の照度（明度）の明暗判断をよりしやすくし、被照射物の照度（明度）の差（明暗）に依存する色覚障害者の被照射物の識別性を向上させることが出来る。
【００６２】
特にクリーンルーム等の感光性物質が反応しないように、赤色と緑色の波長成分からなりｉ線及びｇ線といった特定波長の光を除いた照明は、色覚障害者が比較的色度を判別できる青色の光が欠落しているが、アンバー色ＬＥＤにより、色覚障害者の被照射物の識別性を高めることができる。従って、前記パターニング作業又は接着作業において、色の識別に障害を持つ作業者にとって、より改善された作業環境を提供することが可能となる。
【００６３】
なお、本実施の形態において、赤色と緑色の間の波長の光を照射するＬＥＤとして、アンバー色のＬＥＤを示したが、アンバー色に限定されず、赤色と緑色の間の波長の光を照射するＬＥＤであれば、上述したような効果（色覚障害者の被照射物の識別性の向上）を得ることができる。
【００６４】
また、本実施の形態の照明装置は、赤色ＬＥＤ、緑色ＬＥＤ及びアンバー色ＬＥＤの単一色の光を照射する各色のＬＥＤを複数の列状に配列した光源を用いたが、上記各色ＬＥＤをモジュール化したＬＥＤモジュール（光源モジュール）を配列するようにしてもよい。ＬＥＤモジュールを用いた場合には、上述したような動作電圧の差による回路設計を考慮する必要がなく、回路設計が容易となる。
【００６５】
（実施の形態２）
実施の形態２に係る基板には複数のＬＥＤがマトリックス状に配されており、前記複数のＬＥＤには、赤色ＬＥＤ５Ｒ、緑色ＬＥＤ５Ｇ、アンバー色ＬＥＤ５Ｕ以外に青色ＬＥＤが含まれている。これらＬＥＤは蛍光体を用いずに自ら発光する。また、各ＬＥＤは、制御部２０によって夫々個別発光及び組み合わせによる発光の制御が出来るように構成されている。
【００６６】
また、実施の形態２に係る操作部３０は、装置のメンテナンス、作業空間の整理整頓等のための「白色点灯」ボタン、パターニング作業等のための「波長制御点灯」ボタン、電源をオン・オフするための「電源」ボタンの３つのボタンを設けている（図示せず）。制御部２０は、作業者が操作部３０、つまり３つのボタンの内、何れかを操作することによって指示信号を受付けた場合、灯部１，１，…の前記赤色ＬＥＤ５Ｒと、緑色ＬＥＤ５Ｇと、青色ＬＥＤ及びアンバー色ＬＥＤ５Ｕへの電源供給を制御する。
【００６７】
以下、実施の形態２に係る照明装置の操作について説明する。説明の便宜上、ｇ線（波長４３６ｎｍ），ｉ線（波長 ３６５ｎｍ）の光に露光されることにより、溶解性などの物性が変化するフォトレジストを用いて微細な回路パターンを転写するいわゆるパターニング作業、光硬化性を有するＵＶ樹脂等を用いて行ういわゆる接着作業等を行う場合と、これらの作業に係る装置のメンテナンスを行う場合とに分けて灯部１を操作する場合を例として説明する。
【００６８】
まず、パターニング装置のメンテナンスを行う場合、作業者は操作部３０の「白色点灯」ボタンを操作する。作業者の「白色点灯」ボタンの操作により指示信号を受付けた制御部２０は、灯部１，１，…の各赤色ＬＥＤ５Ｒ、緑色ＬＥＤ５Ｇ及び青色ＬＥＤへ電源を供給し、白色の光を発光させる。図１０は赤色ＬＥＤ５Ｒ、緑色ＬＥＤ５Ｇ及び青色ＬＥＤを点灯させた場合のスペクトルを示すグラフである。グラフの縦軸は相対強度（％）を示しており、横軸は波長（ｎｍ）を示す。図中、４６０ｎｍの付近にて最高値を有する実線のピークは、青色ＬＥＤによる光のピークであり、５１０ｎｍの付近にて最高値を有する点線のピークは、緑色ＬＥＤ５Ｇによる光のピークであり、６５０ｎｍの付近にて最高値を有する二点鎖線のピークは、赤色ＬＥＤ５Ｒによる光のピークである。図１０に示すように、ｉ線（波長 ３６５ｎｍ）に係るピークは見当たらないが、ｇ線（波長４３６ｎｍ）に係るピークの存在が見て取れる。しかし、ｉ線及びｇ線と光反応するフォトレジスト、ＵＶ樹脂等を用いた作業は行わないので、作業上の不具合が生じることはない。なお、クリーンルームＣ内は、赤色ＬＥＤ、緑色ＬＥＤ及び青色ＬＥＤの光が混合された白色の光により明るく照らされるので、作業者は明るい作業環境の中で、パターニング装置のメンテナンスを行うことが出来る。
【００６９】
一方、パターニング装置のメンテナンスが終了し、フォトレジスト、ＵＶ樹脂等を用いてパターニング作業を行う場合、作業者は操作部３０の「波長制御点灯」ボタンを操作する。作業者の「波長制御点灯」ボタンの操作により指示信号を受付けた制御部２０は、灯部１，１，…の各アンバー色ＬＥＤ５Ｕ、赤色ＬＥＤ５Ｒ及び緑色ＬＥＤ５Ｇに電源を供給する（図８参照）。図８及び図１０から明らかであるように、赤色ＬＥＤ５Ｒ、緑色ＬＥＤ５Ｇ及び青色ＬＥＤを点灯させた場合には存在していたｇ線（波長４３６ｎｍ）付近のピークが完全に無くなっていることが分かる。以下、各アンバー色ＬＥＤ５Ｕ、赤色ＬＥＤ５Ｒ及び緑色ＬＥＤ５Ｇを点灯させた場合に対する説明は、実施の形態１での説明と同様であり、詳しい説明を省略する。
【００７０】
以上の記載においては、青色ＬＥＤ又はアンバー色ＬＥＤへの電源供給を制限することによる制御を例として説明したがこれに限るものでない。例えば、各赤色ＬＥＤ、緑色ＬＥＤ、アンバー色ＬＥＤ及び青色ＬＥＤをＰＷＭ（Pulse Width Modulation）制御することによっても同様の効果を得ることが出来る。なお、このようにＰＷＭ制御を行う場合には、赤色ＬＥＤ及び緑色ＬＥＤの混光による光の色を調整することも可能である。
【００７１】
また、以上の記載においては、制御部２０が各灯部１の各赤色ＬＥＤ、緑色ＬＥＤ及び青色ＬＥＤへ電源を供給する場合並びに、各赤色ＬＥＤ、緑色ＬＥＤ及びアンバー色ＬＥＤに電源を供給する場合に分けて制御する例について説明したが、これに限るものでない。必要に応じて、赤色ＬＥＤ、緑色ＬＥＤ、アンバー色ＬＥＤ又は青色ＬＥＤ別のいわゆる単波長点灯も出来るように構成しても良い。例えば、廊下Ｐに配設された灯部１，１，…は、常に各赤色ＬＥＤ、緑色ＬＥＤ及び青色ＬＥＤを点灯させてこれらの混光の白色の光による照明を行うようにし、非常時の場合は何れか一つのＬＥＤのみが発光するように構成しても良い。
【００７２】
また、本実施の形態の照明装置の光源として、各色（赤色・緑色・青色・アンバー色）のＬＥＤをモジュール化したＬＥＤモジュール（光源モジュール）を用いて、各色のＬＥＤの輝度をそれぞれ制御することにより、場面及び用途に応じた照明とすることができる。なお、アンバー色ＬＥＤによるアンバー色の波長を光に加えることにより、色覚障害者の被照射物に対する識別性を向上させることが可能となる。
【００７３】
また、上記実施の形態１及び実施の形態２に係る照明装置として、クリーンルームの照明装置という特殊な照明装置を例示して説明したが、一般的に用いられる照明装置においても、赤色と緑色の間の波長の光を照射する光源を照明装置に設けることにより、色覚障害者の被照射物に対する識別性を向上させることが可能となる。
【００７４】
さらに、光源としてもＬＥＤに限定されず、上記の波長の光を照射する光源であれば他の種類の光源でもよい。
【図面の簡単な説明】
【００７５】
【図１】本発明の実施の形態１に係る照明装置の構成を示すブロック図である。
【図２】本発明の実施の形態１に係る照明装置の灯部の外観を示す斜視図である。
【図３】本発明の実施の形態１に係る照明装置の灯部のカバーが取り外された状態を示す概略図である。
【図４】本発明の実施の形態１に係る照明装置の灯部の分解斜視図である。
【図５】本発明の実施の形態１に係るＬＥＤの配置の一例を示す例示図である。
【図６】本発明の実施の形態１に係る照明装置の基板の交換作業において、掛止部材の操作を説明する説明図である。
【図７】本発明の実施の形態１に係る照明装置が装着されたクリーンルームＣを示す例示図である。
【図８】アンバー色ＬＥＤ、赤色ＬＥＤ及び緑色ＬＥＤを点灯させた場合のスペクトルを示すグラフである。
【図９】アンバー色ＬＥＤが備えられていない場合のスペクトルを示すグラフである。
【図１０】赤色ＬＥＤ、緑色ＬＥＤ及び青色ＬＥＤを点灯させた場合のスペクトルを示すグラフである。
【符号の説明】
【００７６】
１  灯部
２  収容部
３  グローブ
５  ＬＥＤ
５Ｕ  アンバー色ＬＥＤ
５Ｒ  赤色ＬＥＤ
５Ｇ  緑色ＬＥＤ
６  基板
８  接続部材
１０  本体（扁平体）
２０  制御部
【図１】
2009158823.tif 000003
【図２】
2009158823.tif 000004
【図３】
2009158823.tif 000005
【図４】
2009158823.tif 000006
【図５】
2009158823.tif 000007
【図６】
2009158823.tif 000008
【図７】
2009158823.tif 000009
【図８】
2009158823.tif 000010
【図９】
2009158823.tif 000011
【図１０】
2009158823.tif 000012